(57)【要約】      （修正有）【課題】自着テープ用カッターは、止着体、止着部材を自着剤が止着可能な構成とすることで自着テープを止着部へ保持可能とするものである。すなわち、自着テープであっても止着体、止着部材に止着可能であり、連続的な結束を可能とする自着テープ用カッターを提供する。【解決手段】テープカッターの止着体７、止着部材３として自着テープ５が止着可能な部材を設けることで、自着テープによる被結束物６の連続的な結束が可能となった。【選択図】図２
2018024518.tif 000002
【特許請求の範囲】
【請求項１】
基材の片面に自着剤層を有してなる自着テープに使用される自着テープ用カッターであって、
該自着テープ用カッターは該自着テープの該自着剤層を止着するための止着体を有することを特徴とする自着テープ用カッター。
【請求項２】
基材の片面に自着剤層を有してなる自着テープに使用される自着テープ用カッターであって、
該自着テープ用カッターは該自着テープ端部を保持するための止着体を有し、
該止着体は該自着テープの該自着剤層を止着するための止着部材を有することを特徴とする自着テープ用カッター。
【請求項３】
前記止着体または前記止着部材が天然ゴムラテックスまたは、イソプレンゴムから選ばれる少なくとも１種を有することを特徴とする請求項１または２に記載の自着テープ用カッター。
【発明の詳細な説明】
【技術分野】
【０００１】
本発明は、自着テープ用カッター、特にカットされた自着テープ先端部を次のショットのために保持する機能を有した自着テープ用カッターに関するものである。
【背景技術】
【０００２】
従来から、チューブ、ケーブル、パイプ、ワイヤ等の束の結束や、物品の情報を記載したタグ付け等の結束のために用いられる自着テープが知られている。この自着テープは、軽い圧力で自着する自着剤を長尺の基材の片面に塗布した構成のものが多く、自着剤塗布面どうしを重ねて加圧することにより、この加圧部分のみを接着する機能を有する一方、その他の部材へは接着力を殆ど示さない。
【０００３】
このように接着力を殆ど示さないテープ状物を保持するものとして、一対の切条若しくはミシン目を設けて幅の異なる背貼りテープを保持するテープパッケージが提案されている（例えば、特許文献１）。
【０００４】
また、閉止片と舌片とにおいて接着力を示さない巻きテープの端部を保持し、指当て用中折部を形成することでテープ端部を引き出し易くした巻きテープの包装箱が提案されている（例えば、特許文献２）。
【０００５】
一方、粘着テープ用のカッターについては、所謂バックシーラーと称される結束用粘着テープカッターが知られている（例えば、特許文献３）。このバックシーラータイプの結束用粘着テープカッターは、例えばスーパーマーケット等において食材をビニール袋詰めにして陳列販売する場合等に多用されているものであり、食品を詰めたビニール袋の開口部付近を撚って結束操作用の挿通溝内に挿通するだけで、自動的に当該撚った開口部付近の結束部位に幅寸法が１０数ｍｍ程度の粘着テープを周回させるとともに、当該粘着テープ両端部分の粘着面同士を重ね合せて貼着させ、これにより結束封緘した状態となして所定長さで切断するようになっている。
【０００６】
また、前記のようなバックシーラーにおいて、結束用粘着テープを剥離容易とする指掛け用の非粘着部を連続的に折り返して形成できるようにしたバックシーラーも提案されている。（例えば、特許文献４）
【先行技術文献】
【特許文献】
【０００７】
【特許文献１】実開平６−６１７３５号公報
【特許文献２】実開平３−３５０２５号公報
【特許文献３】特開平１１−９１７３０号公報
【特許文献４】特開２００５−０１５１１２号公報
【発明の概要】
【発明が解決しようとする課題】
【０００８】
前記、粘着テープの結束部は、粘着剤により非常に強固に粘着しているため、例え指掛け部を有した様態で結束されていたとしても、結束を説くためには大きな力を必要とし、依然として煩わしさがあった。
【０００９】
また、前記粘着性を示さないテープ用の包装箱等は、テープのカット、結束を連続的に行えるような構成を有していなかった。
【００１０】
一方、自着テープは自着剤面同士の接着性に優れるものの、他の部材への接着性は殆ど示さず、例えば基材を破断容易材料とすれば、容易に結束を解くことが出来、その上、被結束物への粘着剤残りが無いため、このような自着テープを例えば前記食品包装用途等に使用したいとの要望があった。
【００１１】
しかしながら、所謂バックシーラー等で自着テープを用いて連続的に結束を実施しようとした場合、本来例えば、止着部材に粘着していなければならないテープ先端部が止着できないという課題があった。
【００１２】
これに対して、本発明の自着テープ用カッターは、止着体、止着部材を自着剤が止着可能な構成とすることで自着テープを止着部へ保持可能とするものである。すなわち、本発明は自着テープであっても止着体、止着部材に止着可能であり、連続的な結束を可能とする自着テープ用カッターを提供することを目的とする。
【課題を解決するための手段】
【００１３】
本発明者らは鋭意検討した結果、自着剤が止着可能な止着体、止着部材を見出し、本自着テープ用カッターを発明するに至った。
【００１４】
すなわち、本発明（１）は、基材の片面に自着剤層を有してなる自着テープに使用される自着テープ用カッターであって、該自着テープ用カッターは該自着テープの該自着剤層を止着するための止着体を有することを特徴とする自着テープ用カッターである。
【００１５】
すなわち、本発明（２）は、基材の片面に自着剤層を有してなる自着テープに使用される自着テープ用カッターであって、該自着テープ用カッターは該自着テープ端部を保持するための止着体を有し、該止着体は該自着テープの該自着剤層を止着するための止着部材を有することを特徴とする自着テープ用カッターである。
【００１６】
本発明（３）は、前記止着体または前記止着部材が天然ゴムラテックスまたは、イソプレンゴムから選ばれる少なくとも１種を有することを特徴とする前記発明（１）または（２）に記載の自着テープ用カッターである。
【発明の効果】
【００１７】
本発明の自着テープ用カッターは、自着テープを止着可能な止着体または止着部材を有しているため、バックシーラー等により、被結束物の連続的な結束を実施することができる。
【図面の簡単な説明】
【００１８】
【図１】本発明の自着テープ用カッターの一実施形態を示す概略図である。
【図２】図１における内部の状態を示す概略図である。
【図３】止着体の一実施形態を示す概略図である。
【図４】止着部材の層構成例を示す概略図である。
【発明を実施するための形態】
【００１９】
以下、本発明の自着テープ用カッターについて図面を用いて詳細に説明するが、本発明の自着テープ用カッターの実施形態はこれに限られるものではない。尚、本明細書における自着とは、通常殆どの物質に接着することが無いにも関わらず、加圧により自着剤同士が接着する性質を言う。
【００２０】
図１は、本発明の自着テープ用カッターの一実施形態を示す模式図である。支持板４は、両側から自着テープ巻体１を含む自着テープ用カッター構造物を挟む様態で存在している。図２は支持板４の前面側を１枚取り除いた、図１における内部の状態を説明するための概略図である。以下、図２を用いて本発明の自着テープ用カッターについて説明する。図２は、被結束物６を挿通溝９の上端から下方向へと移動させている様態を示している。自着テープ巻体１から引き出された自着テープ５は、その自着剤層が止着体７と対向する様態で供給されている。この時、被結束物６は回転部材２の回転部材突起２ａ間に係止され、自着テープ５の端部は、止着体７に設けられた止着部材３に止着されている。また、自着テープ５は、被結束物６に押し込まれるようにして回転部材２の形状に従って略追従している。更に、止着体７は圧接用付勢手段１０によって、回転部材２側に圧接されている。
【００２１】
この後、更に被結束物６を挿通溝９の下方向に移動させていくと、自着テープ５の端部は、止着体７に設けられた止着部材３に止着されているため、その場に留まる。そして、回転部材突起２ａが止着部材３に止着されている自着テープ５の自着剤層に圧接されると、自着剤同士が接着して被結束物６を結束する。その後、更に挿通溝９の下方向に移動した被結束物６が、挿通溝９部に位置するカッター取付け部材１１を押し下げることで、カッター８が挿通溝９の側へと移動し、被結束物６の結束を完了した自着テープ５の巻体側の任意の部分を切断する。
【００２２】
ここで止着部材３には、回転部材突起２ａの先端に沿って存在する自着テープ５の自着剤層が、止着部材３に止着された自着テープ５の自着剤層に圧接されるまで、自着テープ先端部を止着する役割が求められる。更には、前記圧接が完了した後には、自着テープ５が破断しないように、止着部材３から自着テープ５を剥離する必要がある。本明細書において止着とは、自着テープの自着剤が被接着体に仮接着された様態を指す。
【００２３】
図２、図３に示す止着体の実施形態においては、止着体７に止着部材３が設けられているが、止着部材が止着体全体を構成している様態を取ることも出来る。図２のような様態の場合には、少なくとも止着部材３に自着剤との止着能力があれば良く、止着部材が止着体全体を構成している場合には、止着体自身がこの機能を有していればよい。
【００２４】
また、止着部材３は図４に示すように積層構造を有していても良い。図４は自着テープを止着するための止着層３ａと止着層３ａを止着体に保持するための粘着層３ｂから構成された止着部材３を示している。このような構成の他、止着層３ａと粘着層３ｂの間に支持体を設ける様態としても良い。支持体を設けることで、例えば塗工によって各層を形成する場合の基材として利用できるという利便性を得られる他、止着部材３に適度な剛性を持たせることも可能となる。このような支持体としては、可撓性と剛性をあわせ持つ材料を用いることが出来、例えばＰＥＴフィルム、不織布等を好適に使用することが出来る。
【００２５】
本発明に係わる止着体または、止着部材には、自着剤層を止着可能な材質であれば、いずれの物も使用することが出来るが、自着剤層との止着性を考慮した場合、天然ゴムラテックスまたは、イソプレンゴムから選ばれる少なくとも１種を有していることが好ましい。
【００２６】
本発明の自着テープ用カッターに用いられる自着テープは、自着剤層が形成されたものであれば、いずれのものも使用することが出来るが、結束を解く場合の容易性を考慮した場合には、湿式抄造により得られる紙または、合成紙を基材とし、これら基材に自着剤層が形成されたものが好ましい。
【００２７】
前記基材としては、木質パルプ、天然非木質パルプ、合成繊維から選ばれる少なくとも１種を原料とする原紙、又は合成紙等を用いることができる。木質パルプとしては、広葉樹晒クラフトパルプ（以下、ＬＢＫＰともいう）、針葉樹晒クラフトパルプ（以下、ＮＢＫＰともいう）、広葉樹未晒クラフトパルプ（ＬＵＫＰ）、針葉樹未晒クラフトパルプ（ＮＵＫＰ）、広葉樹半晒クラフトパルプ（ＬＳＢＫＰ）、針葉樹半晒クラフトパルプ（ＮＳＢＫＰ）、広葉樹亜硫酸パルプ、針葉樹亜硫酸パルプ等の化学パルプ、 ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）などの機械パルプ、天然非木質パルプとしては、ケナフ、麻、葦、木綿、竹等の非木材繊維から化学的又は機械的に製造されたパルプ繊維、等が挙げられる。さらに、合成繊維としては、ポリアミド繊維、ポリエチレンテフタレート繊維（以下、ＰＥＴ、又はＰＥＴ繊維ともいう）に代表されるポリエステル系繊維、アクリル繊維、ポリエチレン繊維、ポリプロピレン繊維等のポリオレフィン繊維、アラミド繊維、ポリエチレンナフタレート繊維、ポリブチレンテレフタレート繊維、ポリフェニレンサルファイド繊維（以下、ＰＰＳ繊維ともいう）、ポリアセタール繊維、液晶ポリマー繊維、ポリイミド繊維等が使用可能である。これら木質パルプ、天然非木質パルプ、合成繊維は、それぞれ単独で使用することが出来る他、２種類以上を組み合わせて使用することもできる。合成紙としては、合成樹脂に充填剤等の添加剤を加えて混合し、押出し機で溶融混練後、ダイスリットから押出して成膜した無延伸タイプ、その後に延伸加工を施した延伸タイプ等のものを使用することができる。
【００２８】
自着剤層に使用可能な自着剤としては、通常の状態で殆どの物質に接着することなく、加圧により自着剤層同士が接着する感圧自着剤の中から任意に選択することが可能である。例えば、塩化ビニル系樹脂、塩化ビニリデン系樹脂、合成ゴム系樹脂、天然ゴムラテックス原液、天然ゴムラテックス系、アクリル系樹脂、等が挙げられるが、止着性とコストのバランスを考慮すると、天然ゴムラテックス原液、天然ゴムラテックス原液／バインダ、天然ゴムラテックス／タッキファイヤー、又は、天然ゴムラテックス／タッキファイヤー／バインダからなる自着剤を好適に使用することができる。
【００２９】
また、自着剤層におけるバインダは、止着対象に対する止着力調整、充填剤等の脱落防止及び基材との密着性向上に寄与するものであり、例えば、アクリル共重合体、アクリルニトリル−ブタジエンゴム（ＮＢＲ）、スチレン−ブタジエンゴム（ＳＢＲ）、クロロプレンゴム等が用いられる。また、タッキファイヤー等を用いることも出来る。自着剤層におけるタッキファイヤーは、粘着付与剤として働き、例えばロジン誘導体（ロジン、重合ロジン、水添ロジン及びそれらのグリセリン、ペンタエリスリトール、エチレングリコール、ジエチレングリコール等とのエステル等）、テルペン系樹脂（α−ピネン、β−ピネン等の重合体或いは共重合体）、石油系樹脂、フェノール系樹脂、キシレン系樹脂等が挙げられる。固体のものとしては、例えばフタル酸ジフェニル、フタル酸ジヘキシル、フタル酸ジシクロヘキシル、フタル酸ジヒドロアビエチル、イソフタル酸ジメチル、安息香酸スクロース、二安息香酸エチレングリコール、三安息香酸トリメチロールエタン、三安息香酸グリセリド、四安息香酸ペンタエリトリット、クエン酸トリシクロヘキシル、Ｎ−シクロヘキシル−ｐ−トルエンスルフォンアミド、カテコールジ安息香酸エステル等が挙げられる。本発明に係わる自着剤層は、優れた自己接着性を有するため、この自着剤層どうしを重ね合わせて加圧することにより、加圧部分のみを貼り合わせることができる。
【実施例】
【００３０】
以下実施例及び比較例を挙げて本発明の例を更に説明するが、本発明はこれらの実施例には何ら限定されない。
【００３１】
（止着層形成用塗料の調整）
塗料容器にイソプレンゴム（日本ゼオン社製、商品名：Ｎｉｐｏｌ  ＩＲ２２００Ｌ）を２０ｇ秤量し、トルエン８０ｇを添加。十分に混合攪拌を実施し、固形分濃度２０％の止着層形成用塗料（ａ１）を得た。
【００３２】
上記のようにして調製された止着層形成用塗料(ａ１)をアプリケーターにて重剥離ＰＥＴ（東レフィルム加工社製、商品名：セラピールＢＸ８Ａ）に塗工した。塗工時の厚みは乾燥後の止着層の厚みが３０μｍになる様に調整した。次いで、９０℃のオーブン中にて３分間乾燥させた。この止着剤からなる層の表面に軽剥離フィルム（東レフィルム社製、商品名：セラピールＢＫＥ（ＲＸ））を貼り合せ、止着部材形成用フィルム(ａ２)を作製した。
【００３３】
上記で得た止着部材形成用フィルム（ａ２）から軽剥離フィルムを剥がし、アクリル系両面テープ（３Ｍ社製、商品名：Ｓｃｏｔｃｈ  ＳＰＳ−１２）の粘着層面に貼りあわせ、粘着層と止着層が積層された止着部材を得た。
【００３４】
（実施例１）
上記で作成した止着部材を止着体に貼りあわせが可能なサイズになる様カットし、アクリル両面テープの粘着層側と止着体とを貼りあわせた。その後軽剥離フィルムを剥がし、止着部材を有する自着テープ用カッターを得た。
【００３５】
（比較例１）
止着部材を有していない自着テープ用カッターを用いた。
【００３６】
（連続結束試験）
実施例、比較例の自着テープ用カッターを用いて、ビニール袋の連続結束試験を実施した。ビニール袋の開口部付近を撚り、この部分を自着テープ用カッターの挿通溝に通して、５回連続の結束が可能かどうかを確認した。評価は５回連続の結束が出来た場合を○、１回の結束も出来なかった場合を×とした。
【００３７】
【表１】
2018024518.tif 000003
【００３８】
以上、本発明の自着テープ用カッターは、自着テープであっても止着体、止着部材に止着可能であり、被結束物を連続的に結束可能な性能を発揮することができるものである。
【符号の説明】
【００３９】
１  自着テープ巻体
２  回転部材
２ａ  回転部材突起
３  止着部材
３ａ  止着層
３ｂ  粘着層
４  支持板
５  自着テープ
６  被結束物
７  止着体
８  カッター
９  挿通溝
１０  圧接用付勢手段
１１  カッター取付け部材
【図１】
2018024518.tif 000004
【図２】
2018024518.tif 000005
【図３】
2018024518.tif 000006
【図４】
2018024518.tif 000007
【手続補正書】
【提出日】平成29年8月1日(2017.8.1)
【手続補正１】
【補正対象書類名】図面
【補正対象項目名】図１
【補正方法】変更
【補正の内容】
【図１】
2018024518.tif 000008
【手続補正２】
【補正対象書類名】図面
【補正対象項目名】図２
【補正方法】変更
【補正の内容】
【図２】
2018024518.tif 000009